(57)【要約】【課題】照明光が暗いときに生じやすい色ちらつきを軽減するＬＥＤ点灯装置を提供する。【解決手段】ＬＥＤ点灯装置３０は、異なる発光色を有する複数のＬＥＤ負荷２１〜２４を点灯させるＬＥＤ点灯装置であって、電源回路３１と、ＬＥＤ負荷２１〜２４のうちの１つのＬＥＤ負荷を順次巡回的に選択することによって、選択したＬＥＤ負荷に対して電源回路３１から給電させるセレクタ回路３２と、セレクタ回路３２を制御する制御回路３３と、を備え、制御回路３３は、明るさを指示する調光率が小さいほど各ＬＥＤ負荷に対して電源回路３１から給電する給電区間の長さを短くし、選択されたＬＥＤ負荷の給電区間と、次に選択されるＬＥＤ負荷の給電区間との間に、いずれのＬＥＤ負荷も給電されない休止区間を設け、調光率が小さくなっても休止区間が長くならないようにセレクタ回路３２を制御する。【選択図】図１
2019204710.tif 000002
【特許請求の範囲】
【請求項１】
異なる発光色を有する複数のＬＥＤ（Light Emitting Diode）負荷を点灯させるＬＥＤ点灯装置であって、
前記複数のＬＥＤ負荷に電力を供給する電源回路と、
前記複数のＬＥＤ負荷のうちの１つのＬＥＤ負荷を順次巡回的に選択することによって、選択したＬＥＤ負荷に対して前記電源回路から給電させるセレクタ回路と、
前記セレクタ回路を制御する制御回路と、を備え、
前記制御回路は、
明るさを指示する調光率が小さいほど各ＬＥＤ負荷に対して前記電源回路から給電する給電区間の長さを短くし、
選択されたＬＥＤ負荷の給電区間と、次に選択されるＬＥＤ負荷の給電区間との間に、いずれのＬＥＤ負荷も給電されない休止区間を設け、
調光率が小さくなっても前記休止区間が長くならないように前記セレクタ回路を制御する
ＬＥＤ点灯装置。
【請求項２】
前記セレクタ回路は、複数のスイッチング素子を含み、
前記複数のスイッチング素子のそれぞれは、前記複数のＬＥＤ負荷のいずれか１つのＬＥＤ負荷と直列に接続される
請求項１に記載のＬＥＤ点灯装置。
【請求項３】
前記制御回路は、前記休止区間の長さを調光率に関わらず一定にするように前記セレクタ回路を制御する、
請求項１または２に記載のＬＥＤ点灯装置。
【請求項４】
前記制御回路は、前記休止区間の長さを調光率が小さいほど短くするように前記セレクタ回路を制御する
請求項１または２に記載のＬＥＤ点灯装置。
【請求項５】
前記電源回路は、インダクタを含むスイッチング電源であり、前記インダクタを介して前記複数のＬＥＤ負荷に給電する
請求項１〜４のいずれか１項に記載のＬＥＤ点灯装置。
【請求項６】
前記複数のＬＥＤ負荷の選択が一巡する周期は、調光率が低いほど短い
請求項２に記載のＬＥＤ点灯装置。
【請求項７】
前記制御回路は、タイマーを有するマイクロコンピュータで構成され、前記休止区間の長さを、前記タイマーを用いて計数する
請求項１〜６いずれか１項に記載のＬＥＤ点灯装置。
【請求項８】
請求項１〜７のいずれか１項に記載のＬＥＤ点灯装置と、
前記複数のＬＥＤ負荷とを備える
照明器具。
【請求項９】
前記複数のＬＥＤ負荷のそれぞれは、
1つ以上のＬＥＤと、
前記１つ以上のＬＥＤと並列に接続された平滑コンデンサと、
前記１つ以上のＬＥＤおよび前記平滑コンデンサを含む並列回路と直列に接続された逆流防止用のダイオードとを有する
請求項８に記載の照明器具。
【発明の詳細な説明】
【技術分野】
【０００１】
本発明は、異なる発光色を有する複数のＬＥＤ（Light Emitting Diode）負荷を点灯させるＬＥＤ点灯装置および照明器具に関する。
【背景技術】
【０００２】
特許文献１は、異なる発光色を有する複数のＬＥＤを順次切り替えて点灯させ、かつ、各発光色の強度および混合割合を調整することにより調光および調色可能な照明装置を開示している。
【先行技術文献】
【特許文献】
【０００３】
【特許文献１】特開２００４−３１１６３５号公報
【発明の概要】
【発明が解決しようとする課題】
【０００４】
しかしながら、上記従来技術によれば、例えば調光により暗いほど、色ちらつきが生じることがあるという問題がある。ここで、色ちらつきとは、照明光の下に、例えば扇風機の羽のような動きの速い物体が存在するときに、当該物体にＬＥＤの個別の発光色が現れて、人に知覚されることをいう。色ちらつきが激しい場合、人に不快感や違和感を与えることがある。
【０００５】
そこで本発明は、調光により照明光が暗いときに生じやすい色ちらつきを軽減するＬＥＤ点灯装置および照明器具を提供することを目的とする。
【課題を解決するための手段】
【０００６】
上記課題を解決するために本発明のＬＥＤ点灯装置は、異なる発光色を有する複数のＬＥＤ負荷を点灯させるＬＥＤ点灯装置であって、前記複数のＬＥＤ負荷に電力を供給する電源回路と、前記複数のＬＥＤ負荷のうちの１つのＬＥＤ負荷を順次巡回的に選択することによって、選択したＬＥＤ負荷に対して前記電源回路から給電させるセレクタ回路と、前記セレクタ回路を制御する制御回路と、を備え、前記制御回路は、明るさを指示する調光率が小さいほど各ＬＥＤ負荷に対して前記電源回路から給電する給電区間の長さを短くし、選択されたＬＥＤ負荷の給電区間と、次に選択されるＬＥＤ負荷の給電区間との間に、いずれのＬＥＤ負荷も給電されない休止区間を設け、調光率が小さくなっても前記休止区間が長くならないように前記セレクタ回路を制御する。
【発明の効果】
【０００７】
本発明のＬＥＤ点灯装置および照明器具によれば、調光により照明光が暗いときに生じやすい色ちらつきを軽減することができる。
【図面の簡単な説明】
【０００８】
【図１】図１は、実施の形態１に係るＬＥＤ点灯装置を有する照明器具の構成例を示すブロック図である。
【図２】図２は、実施の形態１に係るＬＥＤ点灯装置を有する照明器具の電流波形を示す図である。
【図３】図３は、実施の形態１に係るＬＥＤ点灯装置を有する照明器具の回路構成例を示す図である。
【図４Ａ】図４Ａは、実施の形態１に係るＬＥＤ点灯装置を有する照明器具の各部の電流波形および電圧波形を示す図である。
【図４Ｂ】図４Ｂは、実施の形態１に係るＬＥＤ点灯装置を有する照明器具の各部の電流波形および電圧波形の他の例を示す図である。
【図５】図５は、実施の形態２に係るＬＥＤ点灯装置を有する照明器具の電流波形を示す図である。
【図６】図６は、実施の形態３に係るＬＥＤ点灯装置を有する照明器具の電流波形を示す図である。
【図７Ａ】図７Ａは、各実施の形態に係るＬＥＤ点灯装置を有する照明器具の外観例を示す図である。
【図７Ｂ】図７Ｂは、各実施の形態に係るＬＥＤ点灯装置を有する照明器具の他の外観例を示す図である。
【図７Ｃ】図７Ｃは、各実施の形態に係るＬＥＤ点灯装置を有する照明器具のさらに他の外観例を示す図である。
【図８】図８は、比較例の照明器具の構成を示す図である。
【図９】図９は、比較例の照明器具の電流波形を示す図である。
【発明を実施するための形態】
【０００９】
（本発明の基礎となった知見）
本発明者は、「背景技術」の欄において記載した照明装置に関し、以下の問題が生じることを見出した。
【００１０】
まず、本発明者の知見に係る照明器具を比較例として説明する。
【００１１】
図８は、本発明者の知見に係る比較例の照明器具の構成を示す図である。同図の照明器具は、電源回路９０、ＬＥＤ負荷９１〜９４、スイッチング素子ＳＷ３〜ＳＷ６を備える。電源回路９０は、スイッチング素子ＳＷ１、ＳＷ２、インダクタＬ０を有し、いわゆる降圧チョッパー型のＤＣ−ＤＣコンバータである。スイッチング素子ＳＷ１、ＳＷ２は、排他的にオン状態になるように制御される。インダクタＬ０は、スイッチング素子ＳＷ１、ＳＷ２の接続点から供給されるエネルギーを蓄積および放出する。
【００１２】
ＬＥＤ負荷９１〜９４は、異なる発光色を有する。
【００１３】
スイッチング素子ＳＷ３〜ＳＷ６は、１周期内で順にオンになるように制御される。
【００１４】
図９は、比較例の照明器具の電流波形を示す図である。同図の縦軸は、インダクタ電流を示す。インダクタ電流は、インダクタＬ０を介していずれかのＬＥＤ負荷に供給される、電源回路９０の出力電流である。横軸は時間を示す。同図の上段は比較的明るい状態を示す。同図の下段は調光により暗くなった状態を示す。また、色α、色β、色γ、色δは、ＬＥＤ負荷９１〜９４の発光色を示す。ＬＥＤ負荷９１〜９４の発光色は、例えば、赤、緑、青、白である。
【００１５】
図９のように、ＬＥＤ負荷９１〜９４は、周期Ｔｓにおいて一巡して発光する。この動作を順送り点灯と呼ぶ。また、図９では、周期Ｔｓが固定であり、スイッチング素子ＳＷ３〜ＳＷ６のスイッチング周波数が固定である場合を示している。スイッチング周波数が固定された状態で調光する場合、オン時間が短くなると同時に休止区間Ｔｘが長くなる。休止区間Ｔｘが長くなると、順送り点灯時は人間の目に色ちらつきが知覚されることがあるという問題がある。
【００１６】
色ちらつきは、照明光の下で素早く動く物体が存在したときに、例えば、照明光の下で手を素早く振ったとき、扇風機の羽根が回転しているときなどに、個々の発光色が分かれて見える現象である。色ちらつきは、休止区間Ｔｘが長いほど、素早く動く物体上で色が分離して見えやすくなる。このような、色ちらつきは、人に不快感や違和感を与えてしまうことがある。
【００１７】
このような問題を解決するために、本発明の一態様に係るＬＥＤ点灯装置は、異なる発光色を有する複数のＬＥＤ負荷を点灯させるＬＥＤ点灯装置であって、前記複数のＬＥＤ負荷に電力を供給する電源回路と、前記複数のＬＥＤ負荷のうちの１つのＬＥＤ負荷を順次巡回的に選択することによって、選択したＬＥＤ負荷に対して前記電源回路から給電させるセレクタ回路と、前記セレクタ回路を制御する制御回路と、を備え、前記制御回路は、明るさを指示する調光率が小さいほど各ＬＥＤ負荷に対して前記電源回路から給電する給電区間の長さを短くし、選択されたＬＥＤ負荷の給電区間と、次に選択されるＬＥＤ負荷の給電区間との間に、いずれのＬＥＤ負荷も給電されない休止区間を設け、調光率が小さくなっても前記休止区間が長くならないように前記セレクタ回路を制御する。
【００１８】
これにより、調光率が小さくなっても、つまり調光によって照明光が暗くなっても休止区間の長さが長くならないので、素早く動く物体上で発光色が分離して見えることが顕現される、つまり、色ちらつきを軽減することができる。
【００１９】
以下、本発明の実施の形態について、図面を用いて詳細に説明する。
【００２０】
なお、以下で説明する実施の形態は、いずれも本発明の一包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００２１】
（実施の形態１）
［１．１  ＬＥＤ点灯装置および照明器具の構成］
まず、実施の形態１に係るＬＥＤ点灯装置３０を備える照明器具１００の構成例について説明する。
【００２２】
図１は、実施の形態１に係るＬＥＤ点灯装置３０を有する照明器具１００の構成例を示すブロック図である。同図の照明器具１００は、ＡＣ−ＤＣ電源１０、光源２０およびＬＥＤ点灯装置３０を備える。
【００２３】
ＡＣ−ＤＣ電源１０は、例えば商用１００Ｖ電源に接続され、交流電力を入力し直流電力に変換する。
【００２４】
光源２０は、ＬＥＤ負荷２１〜２４を備える。ＬＥＤ負荷２１〜２４は、異なる発光色を有する。ＬＥＤ負荷２１〜２４の発光色は、例えばＲ（赤）、Ｇ（緑）、Ｂ（青）、Ｗ（白）である。
【００２５】
ＬＥＤ点灯装置３０は、異なる発光色を有する複数のＬＥＤ負荷２１〜２４を点灯させる装置である。そのためＬＥＤ点灯装置３０は、電源回路３１、セレクタ回路３２および制御回路３３を備える。
【００２６】
電源回路３１は、ＡＣ−ＤＣ電源１０からの直流電力を電圧の異なる直流電力に変換し、変換した直流電力を光源２０に供給するＤＣ−ＤＣコンバータである。
【００２７】
セレクタ回路３２は、複数のＬＥＤ負荷２１〜２４から１つのＬＥＤ負荷を順次巡回的に選択することによって、選択したＬＥＤ負荷に対して電源回路３１から給電させる。そのため、セレクタ回路３２は、スイッチング素子Ｍ３〜Ｍ６を備える。スイッチング素子Ｍ３〜Ｍ６のそれぞれは、複数のＬＥＤ負荷２１〜２４のうちのいずれかのＬＥＤ負荷と直列に接続される。例えば図１では、スイッチング素子Ｍ３は、ＬＥＤ負荷２１に直列に接続される。スイッチング素子Ｍ４は、ＬＥＤ負荷２２に直列に接続される。スイッチング素子Ｍ５は、ＬＥＤ負荷２３に直列に接続される。スイッチング素子Ｍ６は、ＬＥＤ負荷２４に直列に接続される。これらのスイッチング素子Ｍ３〜Ｍ６は、例えば、排他的にオン状態になるように制御される。これにより、ＬＥＤ負荷２１〜２４は排他的につまり１つずつ発光する。
【００２８】
制御回路３３は、複数のＬＥＤ負荷２１〜２４から１つのＬＥＤ負荷を順次巡回的に選択するようにセレクタ回路３２を制御する。具体的には、制御回路３３は、明るさを指示する調光率が小さいほど各ＬＥＤ負荷に対して電源回路３１から給電する給電区間の長さを短くする。また、制御回路３３は、選択されたＬＥＤ負荷の給電区間と、次に選択されるＬＥＤ負荷の給電区間との間に、いずれのＬＥＤ負荷も給電されない休止区間を設け、調光率が小さくなっても休止区間が長くならないようにセレクタ回路３２を制御する。このとき、複数のＬＥＤ負荷２１〜２４が一巡して選択される周期である一巡点灯周期は、調光率が小さいほど、つまり照明光を暗くするほど短くなる。
【００２９】
図２は、実施の形態１に係るＬＥＤ点灯装置３０を有する照明器具１００の電流波形の一例を示す図である。図２では、電源回路３１がインダクタを含むスイッチング電源であり、インダクタを介してＬＥＤ負荷２１〜２４に給電するものとする。同図の上段および下段において、縦軸はインダクタ電流、つまり電源回路３１からいずれかのＬＥＤ負荷に供給される電流を示す。横軸は時間を示す。同図の上段は、調光率が第１の値であるときのインダクタ電流の波形を示す。同図の下段は、調光率が第１の値より小さい第２の値であるときのインダクタ電流の波形を示す。
【００３０】
図２において、区間ＴＳ１、ＴＳ２は、ＬＥＤ負荷２１〜２４が一巡して点灯する周期である一巡点灯周期を示す。ここでは一巡点灯周期ＴＳ１、ＴＳ２は調光率に応じて変化する。色α、β、γ、δは、ＬＥＤ負荷２１〜２４の発光色を示し、例えばＲ（赤）、Ｇ（緑）、Ｂ（青）、Ｗ（白）である。
【００３１】
区間Ｔａは、電源回路３１から発光色αのＬＥＤ負荷２１に給電される給電区間である。区間Ｔｂ、Ｔｃ、Ｔｄも同様に、電源回路３１からＬＥＤ負荷２２、２３、２４に給電される給電区間である。
【００３２】
区間Ｔｘは、いずれのＬＥＤ負荷にも給電されない休止区間である。
【００３３】
同図に示すように、上段および下段に示すように調光率が変化すると、給電区間の長さも変化する。つまり、調光率が小さくなると、給電区間は短くなり、給電量が減少し暗くなる。給電量は、図２では三角の面積に相当する。また、図２では、調光率が変化しても休止区間Ｔｘの長さが長くならないように制御されている。これにより、図２では、図９に示した比較例と比べて、色ちらつきを軽減することができる。
【００３４】
次に、ＬＥＤ点灯装置を有する照明器具１００のより具体的な回路例について説明する。
【００３５】
図３は、実施の形態１に係るＬＥＤ点灯装置３０を有する照明器具１００の回路構成例を示す図である。図３のように、照明器具１００は、光源２０とＬＥＤ点灯装置３０とを備える。ただし、図３では、図１に示したＡＣ−ＤＣ電源１０は省略してある。
【００３６】
光源２０内のＬＥＤ負荷２１は、スイッチング素子Ｍ３と直列に接続され、スイッチング素子Ｍ３のオンおよびオフによって点灯を制御され、スイッチング素子Ｍ３のオン時間が長いほど多くの電流が流れて発光量も多くなる。
【００３７】
具体的な回路例として、図３のＬＥＤ負荷２１は、ＬＥＤｄ１〜ｄ３と、ＬＥＤｄ１〜ｄ３と並列に接続された平滑コンデンサＣ２と、ＬＥＤｄ１〜ｄ３および平滑コンデンサＣ２を含む並列回路と直列に接続された逆流防止用のダイオードＤａと、電源オフ時の放電用の抵抗Ｒ２とを有する。
【００３８】
ＬＥＤｄ１〜ｄ３は、直列接続された同じ発光色のＬＥＤ発光素子であり、スイッチング素子Ｍ３と直列に接続される。
【００３９】
平滑コンデンサＣ２は、インダクタＬ１からダイオードＤａを介して供給されるインダクタ電流を平滑化する。
【００４０】
ダイオードＤａは、平滑コンデンサＣ２からインダクタＬ１に電流が逆流することを防止する。つまり、ダイオードＤａは、平滑コンデンサＣ２にチャージされた電荷をＬＥＤｄ１〜ｄ３のみに供給させる。
【００４１】
抵抗Ｒ２は、高抵抗値を有し、電源オン状態からオフ状態になった後に平滑コンデンサＣ２の電荷を放電させる。
【００４２】
ＬＥＤ負荷２２〜２４は、発光色が異なる点以外はＬＥＤ負荷２１と類似の構成である。なお、ＬＥＤ負荷２１は、平滑コンデンサＣ２、逆流防止用のダイオードＤａを備えない構成であってもよい。また、ＬＥＤ負荷２２〜２４も同様である。
【００４３】
ＬＥＤ点灯装置３０内の電源回路３１は、図３では降圧チョッパー回路の例を示す。具体的には、電源回路３１は、レギュレータ３４、ＨＶＩＣ（High Voltage Integrated Circuit）３５、入力抵抗Ｒ６、Ｒ７、スイッチング素子Ｍ１、Ｍ２およびインダクタＬ１を備える。
【００４４】
レギュレータ３４は、ＡＣ−ＤＣ電源１０からの直流電力を受け、ＨＶＩＣ３５および制御回路３３に安定化した電源電圧を供給する。
【００４５】
ＨＶＩＣ３５は、制御回路３３の制御に従って、入力抵抗Ｒ６、Ｒ７を介してスイッチング素子Ｍ１、Ｍ２にゲート信号を供給する。スイッチング素子Ｍ１、Ｍ２のゲート信号は、高速かつ周期的に排他的にアクティブになる。
【００４６】
スイッチング素子Ｍ１、Ｍ２は、ＡＣ−ＤＣ電源１０から供給される直流電圧とグラウンドレベルとを交互にインダクタＬ１に接続するためのハイサイドトランジスタ、ローサイドトランジスタである。
【００４７】
インダクタＬ１は、スイッチング素子Ｍ１、Ｍ２のスイッチングに応じてエネルギーを蓄積および放出する。
【００４８】
セレクタ回路３２は、入力抵抗Ｒ８〜Ｒ１１およびスイッチング素子Ｍ３〜Ｍ６を備える。
【００４９】
スイッチング素子Ｍ３は、ＬＥＤ負荷２１と直列に接続される。スイッチング素子Ｍ３のゲートには、制御回路３３から入力抵抗Ｒ８を介してオンおよびオフを指示するゲート信号が入力される。スイッチング素子Ｍ３はゲート信号に応じてオンおよびオフする。
【００５０】
スイッチング素子Ｍ４〜Ｍ６も、スイッチング素子Ｍ３と同様である。
【００５１】
制御回路３３は、プロセッサ、メモリおよびタイマー３６を内蔵するＭＣＵ（Micro Controller Unit またはMicro Computer Unit）により構成してもよい。タイマー３６は、周期的な各種時間を計測する。例えば複数のＬＥＤ負荷２１〜２４の選択が一巡する周期、給電区間、休止区間などを計測するのに用いられる。
【００５２】
［１．２  ＬＥＤ点灯装置および照明器具の動作］
次に、実施の形態１に係るＬＥＤ点灯装置３０を備える照明器具１００の動作例について説明する。
【００５３】
図４Ａは、実施の形態１に係るＬＥＤ点灯装置を有する照明器具の各部の電流波形および電圧波形を示す図である。同図の横軸は時間軸である。縦軸は各部の電流または電圧を示す。同図の左側は、一巡点灯周期がＴＳ１のであるときの波形を示し、図２の上段に対応する。図４Ａの右側は、一巡点灯周期がＴＳ２のであるときの波形を示し、図２の下段に対応する。つまり、図４Ａの右側は、左側よりも暗いときの波形を示している。
【００５４】
インダクタ電流ＩＬは、インダクタＬ１を流れる電流、つまり、電源回路３１からいずれかのＬＥＤ負荷に供給される電流を示す。同図においてインダクタ電流ＩＬが流れている区間は、給電区間である。給電区間Ｔａは、電源回路３１からＬＥＤ負荷２１に給電されている区間を示す。同様に、給電区間Ｔｂ〜Ｔｄは、電源回路３１からＬＥＤ負荷２２〜２４に給電されている区間をそれぞれ示す。また、ＬＥＤ負荷２１〜２４の発光色は、Ｒ、Ｇ、Ｂ、Ｗであるものとする。
【００５５】
ゲート電圧Ｖ０は、制御回路３３からＨＶＩＣ３５を介してスイッチング素子Ｍ１のゲートに入力される電圧を示す。ゲート電圧Ｖ０がハイレベルのときスイッチング素子Ｍ１はオン状態になる。ゲート電圧Ｖ０がハイレベルの区間ではインダクタ電流ＩＬは増加していく。このとき、インダクタＬ１は電気エネルギーを磁気エネルギーとして蓄積する。ゲート電圧Ｖ０がローレベルのときスイッチング素子Ｍ１はオフ状態になる。スイッチング素子Ｍ１がオン状態からオフ状態に切り替わった直後は、インダクタＬ１は蓄積したエネルギーを放出する、つまり、インダクタＬ１の逆起電力によりインダクタ電流ＩＬが０まで減少しながらＬＥＤ負荷に供給される。その結果、給電区間Ｔａは、ゲート電圧Ｖ０のハイレベル区間よりも長くなる。インダクタ電流ＩＬは同図では三角波となる。電源回路３１からＬＥＤ負荷に給電される給電区間は、１つの三角波の区間と等しい。
【００５６】
ゲート電圧Ｖｒは、制御回路３３からスイッチング素子Ｍ３のゲートに入力される電圧を示す。ゲート電圧Ｖｒがハイレベルのときスイッチング素子Ｍ３はオン状態になり、つまり、対応するＬＥＤ負荷２１が選択された状態となる。また、ゲート電圧Ｖｒのハイレベル区間は、ゲート電圧Ｖ０のハイレベル区間を含み、かつ対応するインダクタ電流ＩＬの三角波を含む期間になるように制御される。ゲート電圧Ｖｇ、Ｖｂ、Ｖｗも、ゲート電圧Ｖｒと同様である。なお、ゲート電圧Ｖｒ、Ｖｇ、Ｖｂ、Ｖｗのハイレベル区間同士の間には、４つともローレベルになるデッドタイムが設けられる。
【００５７】
ＬＥＤ電流Ｉｒは、ＬＥＤ負荷２１内のＬＥＤｄ１〜ｄ3を流れる電流を示す。給電区間Ｔａの後、つまり、電源回路３１からＬＥＤ負荷２１への給電が終わった後もＬＥＤ電流Ｉｒは０にならずに電流が減少しながら流れ続けている。これは、平滑コンデンサＣ２および逆流防止ダイオードＤａによる。
【００５８】
ＬＥＤ電流Ｉｇ、Ｉｂ、Ｉｗについても、ＬＥＤ電流Ｉｒと同様である。
【００５９】
図４Ａに示すように、ゲート電圧Ｖ０のパルス幅が短いほど給電区間も短くなる。図４Ａの左側の一巡点灯周期ＴＳ１における照明光は、右側の一巡点灯周期ＴＳ２における照明光よりも明るくなっている。照明器具１００において照明光の明るさを調整する調光は、複数の発光色の明るさの割合を一定に保ったまま、明るさを変更することにより実現される。例えば、図４Ａでは、制御回路３３が給電区間Ｔａ、Ｔｂ、Ｔｃ、Ｔｗにおけるゲート電圧Ｖ０の４つのパルス幅の割合を一定に保ったまま、ゲート電圧Ｖ０の４つのパルス幅を増減することにより調光する。また、照明器具１００において照明光の色を調整する調色は、複数の発光色の明るさの割合を変更することにより実現される。例えば、図４Ａでは、制御回路３３が給電区間Ｔａ、Ｔｂ、Ｔｃ、Ｔｗにおけるゲート電圧Ｖ０の４つのパルス幅の割合を変更することによって調色する。
【００６０】
制御回路３３は、調光率が小さくなっても休止区間Ｔｘが長くならないようにセレクタ回路３２を制御する。つまり、図４Ａの右側の一巡点灯周期ＴＳ２における休止区間Ｔｘは、左側の一巡点灯周期ＴＳ１における休止区間Ｔｘよりも長くならないように制御されている。図４Ａでは、右側の一巡点灯周期ＴＳ２における休止区間Ｔｘは、左側の一巡点灯周期ＴＳ１における休止区間Ｔｘと同じ長さになっている。
【００６１】
具体的には、給電区間の終了時点はインダクタ電流ＩＬが減少して０になった時点であるので、制御回路３３は、インダクタ電流ＩＬが減少して０レベルになるのを検出する。制御回路３３は、０レベルを検出した時点で休止区間Ｔｘを設ける。休止区間Ｔｘでは、いずれのゲート電圧もノン・アクティブなローレベルに維持する。休止区間Ｔｘの長さは、例えば、単安定マルチバイブレータ、タイマー、またはカウンタなどにより容易に設定することができる。制御回路３３は、休止区間Ｔｘの終了時点で、一巡点灯における次のＬＥＤ負荷への給電を開始する、つまり、次のＬＥＤ負荷に対応するスイッチング素子のゲート電圧をアクティブにする。
【００６２】
また、図４Ａの左側と右側とを比べると、各給電区間Ｔａ〜Ｔｄが短くなっている分だけ、一巡点灯周期ＴＳ２は一巡点灯周期ＴＳ１よりも短くなっている。
【００６３】
図４Ａでは、調光により暗くなった場合でも、休止区間は長くならないので、色ちらつきを軽減することができる。
【００６４】
なお、ゲート電圧Ｖｒ、Ｖｇ、Ｖｂ、Ｖｗは、図４Ａの代わりに図４Ｂのようにしてもよい。図４Ｂは、実施の形態１に係るＬＥＤ点灯装置３０を有する照明器具１００の各部の電流波形および電圧波形の他の例を示す図である。図４Ｂの例では、ゲート電圧Ｖｒ、Ｖｇ、Ｖｂ、Ｖｗのハイレベル区間が、対応する１つの三角波とほぼ同じ幅になっている。その結果、ゲート電圧Ｖｒ、Ｖｇ、Ｖｂ、Ｖｗのデッドタイムが、図４Ａよりも広くなっている。
【００６５】
図４Ａおよび図４Ｂに示す例では、セレクタ回路３２によっていずれかのＬＥＤ負荷が選択された期間内に、電源回路３１のスイッチング素子Ｍ１がオンになるように制御される。すなわち、スイッチング電源である電源回路３１におけるスイッチング動作と、セレクタ回路３２における選択動作とが同期している。
【００６６】
なお、一巡点灯周期ＴＳ１、ＴＳ２は、人に知覚できない速度で周期的であればよい。例えば、一巡点灯周期の逆数である周波数は、１００Ｈｚ以上としてもよい。
【００６７】
ここで、「人が知覚できない速度で周期的な」は「人にちらつきを知覚させない」ことを意味している。ＬＥＤ照明のちらつき対策については、例えば、電気用品安全法(ＰＳＥ)の解説書類である、「電気用品安全法の改正政省令施行について（平成２４年７月１日から施行）」（経済産業省商務流通グループ製品安全課による）に基準が示されている。同解説書類２８頁の「光出力のちらつき（フリッカー）対策」では、「光出力はちらつきを感じないものであること」に相当する効果をもたらす周波数を次のように解釈している。すなわち、同解説書類においては、「光出力はちらつきを感じないものであること」を満たすのは、（１）繰り返し周波数が１００Ｈｚ以上で光出力に欠落部がない、（２）繰り返し周波数が５００Ｈｚ以上、のいずれかと解釈されている。
【００６８】
本実施の形態の照明器具において、図４Ａおよび図４Ｂの例では光出力に欠落がないと考えられるので上記（１）を満たせばよいと考えられる。この場合、一巡点灯周期Ｔｓの逆数である周波数は、１００Ｈｚ以上としてもよい。
【００６９】
あるいは、図３で平滑コンデンサＣ２〜Ｃ５等を備えない構成である場合は光出力に欠落が生じる場合に該当し、上記（２）を満たせばよいと考えられる。この場合、一巡点灯周期Ｔｓの逆数である周波数は、５００Ｈｚ以上としてもよい。
【００７０】
以上説明してきたように実施の形態１に係るＬＥＤ点灯装置３０は、異なる発光色を有する複数のＬＥＤ負荷２１〜２４を点灯させるＬＥＤ点灯装置３０であって、複数のＬＥＤ負荷２１〜２４に電力を供給する電源回路３１と、複数のＬＥＤ負荷２１〜２４のうちの１つのＬＥＤ負荷を順次巡回的に選択することによって、選択したＬＥＤ負荷に対して電源回路３１から給電させるセレクタ回路３２と、セレクタ回路３２を制御する制御回路３３とを備える。制御回路３３は、明るさを指示する調光率が小さいほど各ＬＥＤ負荷に対して電源回路３１から給電する給電区間の長さを短くし、選択されたＬＥＤ負荷の給電区間と、次に選択されるＬＥＤ負荷の給電区間との間に、いずれのＬＥＤ負荷も給電されない休止区間を設け、調光率が小さくなっても休止区間が長くならないようにセレクタ回路３２を制御する。
【００７１】
これによれば、調光率が小さくなっても、つまり調光によって照明光が暗くなっても休止区間の長さが長くならないので、素早く動く物体上で発光色が分離して見えることが軽減される、つまり、色ちらつきを軽減することができる。
【００７２】
ここで、セレクタ回路３２は、複数のスイッチング素子Ｍ３〜Ｍ６を含み、複数のスイッチング素子Ｍ３〜Ｍ６のそれぞれは、複数のＬＥＤ負荷２１〜２４のいずれか１つのＬＥＤ負荷と直列に接続してもよい。
【００７３】
ここで、制御回路３３は、休止区間Ｔｘの長さを調光率に関わらず一定にするようにセレクタ回路３２を制御してもよい。
【００７４】
これによれば、休止区間Ｔｘが一定なので、制御回路３３の制御を容易にすることができる。
【００７５】
ここで、電源回路３１は、インダクタＬ１を含むスイッチング電源であり、インダクタＬ１を介して複数のＬＥＤ負荷２１〜２４に給電してもよい。
【００７６】
これによれば、電源回路の小型化、高効率化および低コスト化を図ることができる。
【００７７】
ここで、制御回路３３は、スイッチング電源である電源回路３１におけるスイッチング動作と、セレクタ回路３２における選択動作とを同期させてもよい。
【００７８】
ここで、複数のＬＥＤ負荷２１〜２４の選択が一巡する周期は、調光率が低いほど短くしてもよい。
【００７９】
これによれば、色ちらつきをより一層軽減することができる。
【００８０】
なお、ＬＥＤ負荷９１〜９４の発光色の組み合わせは、赤、緑、青、白に限らない。
【００８１】
（実施の形態２）
実施の形態１では、調光率が小さくなっても休止区間の長さが長くならない例として図２で休止区間の長さが一定である例を示した。実施の形態２では、調光率が小さいほど休止区間を短くする例について説明する。
【００８２】
［２．１  ＬＥＤ点灯装置および照明器具の構成］
実施の形態２に係る照明器具１００の構成は、図１および図３と同じでよい。ただし、制御回路３３によるセレクタ回路３２が行う制御が異なっている。以下異なる点を中心に説明する。
【００８３】
制御回路３３は、調光率が小さいほど休止区間の長さを短くするようにセレクタ回路３２を制御する。つまり、休止区間の長さは一定でなく、調光率が小さいほど短くなる。
【００８４】
［２．２  ＬＥＤ点灯装置および照明器具の動作］
次に、実施の形態２に係るＬＥＤ点灯装置３０を備える照明器具１００の動作例について説明する。
【００８５】
図５は、実施の形態２に係るＬＥＤ点灯装置３０を有する照明器具１００の電流波形を示す図である。同図は、図２と比べて、調光率に応じて休止区間の長さが変化している点が異なっている。図５の下段に示す、調光率が小さいときの休止区間ＴＸ２は、上段に示す、調光率が大きいときの休止区間ＴＸ１よりも短くなっている。
【００８６】
例えば、制御回路３３は、休止区間の長さを、給電区間の長さに係数を乗じた値にしてもよい。また、制御回路３３は、休止区間の長さを、ゲート電圧のパルス幅に係数を乗じた値にしてもよい。あるいは、制御回路３３は、休止区間の長さを、少なくとも２段階で段階的に、調光率が小さいほど短くしてもよい。
【００８７】
以上のように実施の形態２に係るＬＥＤ点灯装置３０において、制御回路３３は、休止区間の長さを調光率が小さいほど短くするようにセレクタ回路３２を制御する。
【００８８】
この構成によれば、実施の形態１より、もっと色ちらつきを軽減することができる。
【００８９】
（実施の形態３）
実施の形態３では、休止区間の長さを、タイマー３６を用いて計数する例について説明する。
【００９０】
［３．１  ＬＥＤ点灯装置および照明器具の構成］
実施の形態３に係る照明器具１００の構成は、図３と同じでよい。ただし、制御回路３３は、プロセッサ、メモリおよびタイマー３６を内蔵するＭＣＵ（Micro Controller Unit またはMicro Computer Unit）により構成される。タイマー３６は、休止区間の長さを計数するのに用いられる。
【００９１】
［３．２  ＬＥＤ点灯装置および照明器具の動作］
次に、実施の形態３に係るＬＥＤ点灯装置３０を備える照明器具１００の動作例について説明する。
【００９２】
図６は、実施の形態３に係るＬＥＤ点灯装置３０を有する照明器具１００の電流波形を示す図である。同図は、図２と同じ照明動作の例であり、タイマー３６により一巡点灯周期を固定している。図６の例では下段に示すように、タイマー３６は、給電区間の終了時点で計数をスタートし、一定時間を計数した時点でタイムアウトを発生するようにプログラムされる。同図のタイマー出力は、計数開始時にハイレベルに立ち上がり、一定時間の計数が終了した時点でローレベルに立ち下がる。具体的には、制御回路３３は、インダクタ電流が０になったことを検出することにより給電区間の終了を検出し、この検出時点でタイマー３６の計数をスタートさせる。さらに、制御回路３３は、タイムアウトが発生した時点で、一巡点灯における次のＬＥＤ負荷を選択するようにゲート電圧を生成する。
【００９３】
以上のように実施の形態３に係るＬＥＤ点灯装置３０において、制御回路３３は、タイマー３６を有するマイクロコンピュータで構成され、休止区間の長さを、タイマー３６を用いて計数する。
【００９４】
これによれば、制御回路３３による、休止区間を設ける周期的な制御を容易にすることができる。
【００９５】
なお、タイマー３６は、休止区間だけでなく、一巡点灯周期、給電区間Ｔａ〜Ｔｄそれぞれを計数するようにしてもよい。タイマー３６は、１つのタイマー回路を備える構成でもよいし、複数のタイマー回路を備える構成でもよい。
【００９６】
また、実施の形態２においてタイマー３６を用いて休止区間を計数するようにしてもよい。
【００９７】
（実施の形態４）
実施の形態４では、上記各実施の形態に係るＬＥＤ点灯装置３０を備える照明器具１００の例について、図７Ａ〜図７Ｃを用いて説明する。
【００９８】
図７Ａは、各実施の形態に係るＬＥＤ点灯装置３０を有する照明器具１００の外観例を示す図である。図７Ａでは、照明器具１００の例として、ダウンライト１００ａの外観を示す。
【００９９】
ダウンライト１００ａは、回路ボックス１０１ａ、灯体１０２ａおよび配線１０３ａを備える。  回路ボックス１０１ａ、上記各実施の形態に係るＬＥＤ点灯装置３０の全部または一部を収納する筐体である。灯体１０２ａは、光源２０を装着した灯体である。配線１０３ａは、回路ボックス１０１ａと灯体１０２ａ内の光源２０とを電気的に接続する。
【０１００】
図７Ｂは、各実施の形態に係るＬＥＤ点灯装置３０を有する照明器具１００の他の外観例を示す図である。図７Ｂでは、照明器具１００の例として、スポットライト１００ｂの外観を示す。スポットライト１００ｂは、回路ボックス１０１ｂ、灯体１０２ｂおよび配線１０３ｂを備える。これらの回路ボックス１０１ｂ、灯体１０２ｂおよび配線１０３ｂは、図７Ａの回路ボックス１０１ａ、灯体１０２ａおよび配線１０３ａと同様である。
【０１０１】
図７Ｃは、各実施の形態に係るＬＥＤ点灯装置３０を有する照明器具１００のさらに他の外観例を示す図である。図７Ｃでは、照明器具１００の例として、スポットライト１００ｃの外観を示す。スポットライト１００ｃは、スポットライト１００ｃは、回路ボックス１０１ｃおよび灯体１０２ｃを備える。これらも図７Ａの回路ボックス１０１ａおよび灯体１０２ｂと同様である。
【０１０２】
実施の形態４においても、上記各実施の形態と同様の効果が得られる。
【０１０３】
なお、光源２０内のＬＥＤｄ１〜ｄ１２は、いわゆる発光ダイオードだけでなく、有機ＥＬ発光素子（ＯＬＥＤ：Organic Light Emitting Diode）、レーザー発光素子などの固体発光素子でもよい。
【０１０４】
以上、本開示の一つまたは複数の態様に係るＬＥＤ点灯装置について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、本開示の範囲内に含まれてもよい。
【符号の説明】
【０１０５】
２１、２２、２３、２４  ＬＥＤ負荷
３０  ＬＥＤ点灯装置
３１  電源回路
３２  セレクタ回路
３３  制御回路
３６  タイマー
１００  照明器具
Ｃ２、Ｃ３、Ｃ４、Ｃ５  平滑コンデンサ
ｄ１〜ｄ１２  ＬＥＤ
Ｄａ、Ｄｂ、Ｄｃ、Ｄｄ    ダイオード
Ｌ１  インダクタ
Ｍ３、Ｍ４、Ｍ５、Ｍ６  スイッチング素子
【図１】
2019204710.tif 000003
【図２】
2019204710.tif 000004
【図３】
2019204710.tif 000005
【図４Ａ】
2019204710.tif 000006
【図４Ｂ】
2019204710.tif 000007
【図５】
2019204710.tif 000008
【図６】
2019204710.tif 000009
【図７Ａ】
2019204710.tif 000010
【図７Ｂ】
2019204710.tif 000011
【図７Ｃ】
2019204710.tif 000012
【図８】
2019204710.tif 000013
【図９】
2019204710.tif 000014